(57)【要約】【課題】本発明は、仕上げ剤を誤って多く入れてもサイフォン作用の誤動作を未然に防止でき、洗浄性能の低下を解消することができる洗濯機を提供することを目的とする。【解決手段】本発明は、サイフォンが備わる仕上げ剤貯留槽と、仕上げ剤貯留槽を形成する槽璧とを有し、サイフォンは、サイフォン管と、前記サイフォン管に被さるサイフォンキャップとを有する仕上げ剤投入装置において、槽璧に設ける仕上げ剤の溢水口は、底部側が前記サイフォン管の上端よりも低いことを特徴とする。【選択図】図４
2006255300.tif 000002
【特許請求の範囲】
【請求項１】
サイフォンが備わる仕上げ剤貯留槽と、前記仕上げ剤貯留槽を形成する槽璧とを有し、前記サイフォンは、サイフォン管と、前記サイフォン管に被さるサイフォンキャップとを有する仕上げ剤投入装置において、
前記槽璧に設ける仕上げ剤の溢水口は、底部側が前記サイフォン管の上端よりも低いことを特徴とする仕上げ剤投入装置。
【請求項２】
サイフォンが備わる仕上げ剤貯留槽と、洗剤を貯留する洗剤貯留槽と、前記仕上げ剤貯留槽を形成する槽璧とを有し、前記サイフォンは、サイフォン管と、前記サイフォン管に被さるサイフォンキャップとを有する仕上げ剤投入装置において、
前記槽璧に設ける仕上げ剤の溢水口は、底部側が前記サイフォン管の上端よりも低いことを特徴とする仕上げ剤投入装置。
【請求項３】
サイフォンが備わる仕上げ剤貯留槽と、洗剤を貯留する洗剤貯留槽と、前記仕上げ剤貯留槽と前記洗剤貯留槽との仕切りを兼ねた槽璧とを有し、前記サイフォンは、サイフォン管と、前記サイフォン管に被さるサイフォンキャップとを有する仕上げ剤投入装置において、
前記槽璧に設ける仕上げ剤の溢水口は、底部側が前記サイフォン管の上端よりも低いことを特徴とする仕上げ剤投入装置。
【請求項４】
請求項１〜３のいずれかに記載された仕上げ剤洗剤投入装置において、
前記仕上げ剤貯留槽に水を注ぐ仕上げ剤用給水手段を有することを特徴とする仕上げ剤投入装置。
【発明の詳細な説明】
【技術分野】
【０００１】
本発明は、洗濯機や洗濯乾燥機等に備えられる仕上げ剤投入装置の改良に関する。
【背景技術】
【０００２】
洗濯機や洗濯乾燥機等に備えられる仕上げ剤投入装置は、例えば、特開２００２−３６０９８４（特許文献１）に示されている。
【０００３】
仕上げ剤投入装置は、サイフォンが備わる仕上げ剤貯留槽と、仕上げ剤貯留槽の給水する仕上げ剤用給水手段を有する。そして、最終すすぎの給水が行なわれる際に仕上げ剤用給水手段より仕上げ剤貯留槽に給水し、サイフォン作用を働かして仕上げ剤が洗濯槽内に投入するようにしている。
【０００４】
【特許文献１】特開２００２−３６０９８４公報
【発明の開示】
【発明が解決しようとする課題】
【０００５】
投入ケースの仕上げ剤貯留槽に入れる仕上げ剤の量は、通常、計量して入れるので過不足なく入れられる。
【０００６】
しかし、仕上げ剤貯留槽に仕上げ剤を誤って多く入れてしまうと、サイフォン作用が働いて仕上げ剤が洗濯槽に投入されてしまう。このため、最終すすぎを待たずに、洗濯工程で仕上げ剤が使われるので、仕上げ剤の無駄になる。また、洗剤と仕上げ剤が洗濯工程で一緒に使われるので、洗剤の陰イオン界面活性剤と仕上げ剤の陽イオン界面活性剤が混合され洗剤の化学作用が失われ、洗浄力の低下や仕上げ剤の柔軟効果が低下する。
【０００７】
本発明は、上記の問題に鑑み、仕上げ剤を誤って多く入れてもサイフォン作用の誤動作を未然に防止でき、洗浄性能の低下を解消することができる洗濯機を提供することを目的とする。
【課題を解決するための手段】
【０００８】
本発明は、サイフォンが備わる仕上げ剤貯留槽と、仕上げ剤貯留槽を形成する槽璧とを有し、サイフォンは、サイフォン管と、前記サイフォン管に被さるサイフォンキャップとを有する仕上げ剤投入装置において、仕上げ剤を貯水する槽璧に設ける仕上げ剤の溢水口は、底部側が前記サイフォン管の上端よりも低いことを特徴とする。
【発明の効果】
【０００９】
本発明によれば、仕上げ剤を誤って多く入れてもサイフォン作用の誤動作を未然に防止でき、洗浄性能の低下を解消することができる。
【発明を実施するための最良の形態】
【００１０】
以下、本発明の実施形態に係わる実施例について、図を引用して説明する。
【００１１】
まず、図１、図２、図３に沿って、洗濯機の概要から説明する。
【００１２】
図１、図２、図３に示すように、洗濯機の本体外枠１は、内部に洗濯槽を有する。
洗濯槽に洗濯物を出し入れする外蓋２は、本体外枠１に開閉自在に設けられている。
【００１３】
本体外枠１の上部のトップカバー３は、洗濯物を出し入れする衣類投入口４を有する。
【００１４】
仕上げ剤投入装置は、外蓋２の衣類投入口４の奥側に備えられる。仕上げ剤投入装置の投入ケース５は、トップカバー３に出し入れ自在に備えられる。
図２は、投入ケース５をトップカバー３内に収納した状態を示す。図３は、投入ケース５はトップカバー３から引き出した状態を示す。
【００１５】
仕上げ剤（ソフナー）は、トップカバー３から引き出された投入ケース５に投入する。トップカバー３がトップカバー３内に収納した状態で洗濯機の運転は行なわれる。
【００１６】
図４、図５に示すように、仕上げ剤投入装置は、投入ケース５の上側に仕上げ剤用給水手段としての給水口６を有する。給水口６は、給水を止めたり、出したりする給水弁７を介して水道路に連通している。
【００１７】
さらに仕上げ剤投入装置は、投入ケース５から流れ出た仕上げ剤を洗濯槽に導く流出路ケース８を有する。この流出路ケース８は、投入ケース５を載置する載置台をも兼ねている。この流出路ケース８に載置されたままで、投入ケース５は出し入れが行なわれる。
【００１８】
流出路ケース８は、流出口部９に流出管１０を接続し、流れ出る仕上げ剤を洗濯槽に導く。
【００１９】
投入ケース５は、サイフォン１０が備わる仕上げ剤貯留槽１１と、仕上げ剤貯留槽１１に隣接する流出部１２と、仕切り壁を兼ねた槽壁１３を有する。仕上げ剤貯留槽１１は、槽壁１３と投入ケース５の槽壁とで形成される。流出部１２は、底に流出口１４を有する。
【００２０】
サイフォン１０は、サイフォン管１５と、サイフォン管１５に被さるサイフォンキャップ１６を有する。サイフォン管１４は上下に抜ける内側貫通路１７を有する。
【００２１】
サイフォン１０は、サイフォンキャップ１６の下端と仕上げ剤貯留槽１１の内底面との間に隙間通路ａ、サイフォンキャップ１６の内周とサイフォン管１５の外周との間に隙間通路ｂを有する。この隙間通路ａ、ｂを介してサイフォンキャップ１５の外側とサイフォン管１４の内側貫通路１７に連通している。
【００２２】
槽璧１３は、仕上げ剤が溢れ出る溢水口１８を有する。溢水口１８の高さＨ２，サイフォン管１４の高さＨ１，槽璧１３の高さＨ３は、次のような関係になっている。Ｈ１は、Ｈ２よりも高く。Ｈ３は、Ｈ１よりも高くしている。つまり、槽璧１３の上端の高さが、一番高く、溢水口１８の低部がサイフォン管１４の上端よりも低くなっている。
【００２３】
なお、仕上げ剤の入れる量は、通常、洗濯量が８ｋｇの場合で約４０ｍＬである。多少の余裕をもって、投入ケース５は容積を４５ｍＬに設計されている。
【００２４】
また図５において、槽壁１３の一部に設けられた溢水口１８は、槽壁１３の最高高さＨ３よりｈの高さ分の切り欠きをもって、その上部の切り欠き幅Ｗ１と下端部はＷ２の幅から構成されている。
【００２５】
水の粘性は約０．５〜１．５ＣＰ程度であるのに対し、仕上げ剤の粘性は約５０〜６０ＣＰ位であり、水の粘性に対し仕上げ剤は５０〜６０倍となっているのが一般的である。
【００２６】
このため、切り欠きの幅Ｗ１よりＷ２の幅を広くして、最初に投入される粘性の高い仕上げ剤が規定量より多く投入された場合、溢水口１８より流出し易い構成としている。
【００２７】
一般に仕上げ剤を入れるときは粘度が高いので最初に容器を傾け過ぎる傾向があり、途中で修正されるので量のコントロールが遅れ気味になるので、この間の量を一時的に流れやすくするため下側を広くしている。これにより、仕上げ剤の量が多くてもサイフォンが動作しなくなる。
【００２８】
また、最終すすぎ時に給水口６から水を仕上げ剤貯留槽１１内へ注水して仕上げ剤を希釈しながら、サイフォンキャップ１６の高さ、すなわちサイフォン管１５の高さＨ１以上になるまで注水されると、サイフォンの原理で仕上げ剤と混合された水がサイフォン管１５より流出される。
【００２９】
また、仕上げ剤を洗濯槽内に供給するときは多量の水により仕上げ剤が薄められるが水の粘性は０．５〜１．５ＣＰで仕上げ剤の粘性は５０〜６０ＣＰのため混合されて粘性が低くなるためには若干時間がかかるので、溢水口１８から流出しやすくなるため、溢水口１８の上部切り欠き幅Ｗ１はＷ２の幅より狭くすることにより粘度の高い仕上げ剤が流出しやすくしている。
【００３０】
次に仕上げ剤投入装置の動作について説明する。
【００３１】
洗濯機を運転させる前に、仕上げ剤を投入ケース５に入れて洗濯機を運転させる。
【００３２】
洗濯運転が進行し、最終すすぎの給水が行なわれる際に仕上げ剤が洗濯槽内に投入される。
【００３３】
すなわち、仕上げ剤が入っている投入ケース５に給水口６より給水が注がれると、図７に示すように仕上げ剤の水位が上昇する（Ｈ２よりも上昇する）。このため、溢水口１８より仕上げ剤は溢れ出るが、給水口６からの給水量が２〜５Ｌ／分であるので、仕上げ剤の水位（液面高さ）は上昇してサイフォン管１５の高さＨ１を越えと、仕上げ剤がサイフォン管１５の内側貫通路１７を流れ出す。
【００３４】
給水口６の給水量が止められた後も、サイフォン作用により、仕上げ剤の流出は継続し、投入ケース５内の仕上げ剤が残らず洗濯槽に投入され、仕上げ剤の投入を伴う洗濯が行なわれる。
【００３５】
さて、投入ケース５の仕上げ剤貯留槽１１に入れる仕上げ剤の量は、通常、計量して入れるので過不足なく入れられるが、誤って多く入れてしまうことがある。
【００３６】
しかし、誤って仕上げ剤を仕上げ剤貯留槽１１に多く入れても、図６に示すように、溢水口１８の低部がサイフォン管１４の上端よりも低くなっているので、仕上げ剤がサイフォン管１５の上端を越えて内側貫通路１７から流れ出る前に溢水口１８から流れ出る。これにより、誤って多く入れも、仕上げ剤を全部流しまうサイフォン作用の誤動作を未然に防止でき、洗浄性能の低下を解消することができる。
【００３７】
図８、図９は、他の実施例を示すもので、投入ケース５０に仕上げ剤貯留槽１１０と、洗剤貯留槽１２０を併せて設けたところが先の実施例との違う。他は先の実施例と共通である。
【図面の簡単な説明】
【００３８】
【図１】本発明の実施例に係わるもので、洗濯機を上から見た斜視図。
【図２】本発明の実施例に係わるもので、外蓋を開いた洗濯機を上から見た斜視図。
【図３】本発明の実施例に係わるもので、仕上げ剤投入装置の仕上げ剤投入部を引き出したところを上から見た斜視図。
【図４】本発明の実施例に係わるもので、仕上げ剤投入装置の縦断面図。
【図５】本発明の実施例に係わるもので、仕上げ剤投入装置を上から見た斜視図。
【図６】本発明の実施例に係わるもので、仕上げ剤が溢れ出るところを示す図。
【図７】本発明の実施例に係わるもので、仕上げ剤がサイフォン管から流れ出るところを示す図。
【図８】本発明の他の実施例に係わるもので、外蓋を開いた洗濯機を上から見た斜視図。
【図９】本発明の他の実施例に係わるもので、仕上げ剤投入装置の仕上げ剤投入部を引き出したところを上から見た斜視図。
【符号の説明】
【００３９】
１…洗濯機の本体外枠、２…外蓋、３…トップカバー、４…衣類投入口、５…投入ケース、６…給水口、７…給水弁、８…流出路ケース、９…流出口部、１０…サイフォン、１１…仕上げ剤貯留槽、１２…流出部、１３…槽壁、１４…流出口、１５…サイフォン管、１６…サイフォンキャップ、１７…内側貫通路、ａ…隙間通路、ｂ…隙間通路、１８…溢水口、２０…流出管、Ｈ２…溢水口の高さ、Ｈ１…サイフォン管の高さ、Ｈ３…槽璧の高さ。
【図１】
2006255300.tif 000003
【図２】
2006255300.tif 000004
【図３】
2006255300.tif 000005
【図４】
2006255300.tif 000006
【図５】
2006255300.tif 000007
【図６】
2006255300.tif 000008
【図７】
2006255300.tif 000009
【図８】
2006255300.tif 000010
【図９】
2006255300.tif 000011
【手続補正書】
【提出日】平成17年3月25日(2005.3.25)
【手続補正１】
【補正対象書類名】図面
【補正対象項目名】全図
【補正方法】変更
【補正の内容】
【図１】
2006255300.tif 000012
【図２】
2006255300.tif 000013
【図３】
2006255300.tif 000014
【図４】
2006255300.tif 000015
【図５】
2006255300.tif 000016
【図６】
2006255300.tif 000017
【図７】
2006255300.tif 000018
【図８】
2006255300.tif 000019
【図９】
2006255300.tif 000020